(57)【要約】【課題】所定の機能を実行するための操作手順をユーザに対して好適に提示することができる携帯端末を提供する。【解決手段】入力を受け付ける入力手段と、入力手段による操作を行うための手順を示すユーザマニュアルを記憶する記憶手段４２と、記憶手段４２に記憶されたユーザマニュアルを出力して外部表示装置６１に表示させる外部出力制御手段３６と、外部表示装置６１に表示されたユーザマニュアルの手順に従い、入力手段により次に入力される操作を誘導するナビゲーション手段４５とを備えた。【選択図】  図３
2010268207.tif 000002
【特許請求の範囲】
【請求項１】
入力を受け付ける入力手段と、
前記入力手段による操作を行うための手順を示すユーザマニュアルを記憶する記憶手段と、
前記記憶手段に記憶された前記ユーザマニュアルを出力して外部表示装置に表示させる外部出力制御手段と、
前記外部表示装置に表示された前記ユーザマニュアルの手順に従い、前記入力手段により次に入力される操作を誘導するナビゲーション手段とを備えたことを特徴とする携帯端末。
【請求項２】
前記ナビゲーション手段は、誘導した操作が前記入力手段により入力されたことを検出した場合に、前記ユーザマニュアルの手順のうち次に実行される操作を誘導する請求項１記載の携帯端末。
【請求項３】
前記ナビゲーション手段は、前記外部表示装置に表示された前記ユーザマニュアルの手順に対応した音声を出力することにより操作を誘導する請求項１または２記載の携帯端末。
【請求項４】
前記ナビゲーション手段は、前記外部表示装置に表示される前記ユーザマニュアルを動画で出力することにより操作を誘導する請求項１〜３のいずれか一項に記載の携帯端末。
【請求項５】
前記入力手段は、個別に発光可能な複数の操作キーであり、
前記ナビゲーション手段は、操作に用いられる前記操作キーを発光することにより操作を誘導する請求項１〜４のいずれか一項に記載の携帯端末。
【請求項６】
前記入力手段により操作される画面情報を表示する表示手段と、
前記入力手段による操作の対象を、前記外部表示装置に表示された前記ユーザマニュアルと、前記表示手段に表示された前記画面情報とで切り替える操作切替手段とをさらに備えた請求項１〜５のいずれか一項に記載の携帯端末。
【発明の詳細な説明】
【技術分野】
【０００１】
本発明は、ユーザマニュアルに関するデータを外部に出力する機能を備えた携帯端末に関する。
【背景技術】
【０００２】
今日、携帯電話機などの携帯端末は、音声通話機能に加え、メール送受信機能、ワンセグ視聴機能、Ｗｅｂページ閲覧機能、音楽再生機能など多種多様な機能を備えたものが知られている。このように携帯端末が多機能化したことに伴い、ユーザは操作方法を把握しきれず、機能を利用するたびにユーザマニュアルを確認しなければならないという煩雑さが生じてしまう場合があった。
【０００３】
このような問題点を解消するため、簡単な操作手順を示したユーザマニュアルを携帯端末に記憶しておき、必要に応じて携帯端末のディスプレイに表示させることにより、ユーザマニュアルを容易に確認することのできる携帯端末が知られていた。しかし、携帯電話機などの携帯端末のディスプレイは小型のものが多く、詳細な操作手順が示されたユーザマニュアルを表示することは困難であった。
【０００４】
これに対し、従来、操作マニュアルを外部出力し、出力された操作マニュアルを外部表示装置に表示させる操作マニュアル表示装置に関する技術が知られていた（例えば、特許文献１参照）。
【先行技術文献】
【特許文献】
【０００５】
【特許文献１】特開２００１−１６６８６７号公報
【発明の概要】
【発明が解決しようとする課題】
【０００６】
特許文献１に開示された技術は、機器に備えられたディスプレイよりも大きいディスプレイに操作マニュアルを表示することにより、機器の操作マニュアルをわかりやすく表示することができるものであった。しかし、特許文献１に開示された技術は、単に操作マニュアルを外部表示装置に出力し、ユーザに視認させるものであった。このため、操作マニュアルを見ただけでは操作手順を理解しきれないユーザにとっては、単に詳細なマニュアルを表示するだけでは十分なサポートを受けることができず、操作マニュアルを表示するのみでは不親切なものであった。
【０００７】
本発明はこのような事情を考慮してなされたもので、所定の機能を実行するための操作手順をユーザに対して好適に提示することができる携帯端末を提供することを目的とする。
【課題を解決するための手段】
【０００８】
本発明に係る携帯端末は、入力を受け付ける入力手段と、前記入力手段による操作を行うための手順を示すユーザマニュアルを記憶する記憶手段と、前記記憶手段に記憶された前記ユーザマニュアルを出力して外部表示装置に表示させる外部出力制御手段と、前記外部表示装置に表示された前記ユーザマニュアルの手順に従い、前記入力手段により次に入力される操作を誘導するナビゲーション手段とを備えたことを特徴とする。
【発明の効果】
【０００９】
本発明に係る携帯端末によれば、所定の機能を実行するための操作手順をユーザに対して好適に提示することができる。
【図面の簡単な説明】
【００１０】
【図１】本発明に係る携帯端末の一例である折り畳み式の携帯電話機の外観の構成を示す図。
【図２】本発明に係る携帯端末の一例である折り畳み式の携帯電話機の他の外観の構成を示す図。
【図３】本実施形態における携帯電話機の機能構成を示す概略的な機能ブロック図。
【図４】本実施形態における携帯電話機により実行されるマニュアル表示処理を説明するフローチャート。
【図５】マニュアル表示処理におけるマニュアル出力ステップＳ２が実行された場合における、各ディスプレイの表示例を示す図。
【図６】本実施形態における携帯電話機の検索実行部により実行されるユーザマニュアル検索処理を説明するフローチャート。
【図７】本実施形態における携帯電話機のナビゲーション実行部により実行されるナビゲーション処理を説明するフローチャート。
【図８】ナビゲーション実行部によりナビゲーション機能が実行されている場合の、外部ディスプレイの表示例を示す図。
【発明を実施するための形態】
【００１１】
以下、本発明の実施形態を添付図面に基づいて説明する。
【００１２】
図１は、本発明に係る携帯端末の一例である折り畳み式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１３】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３８）が設けられており、内蔵されたアンテナを介して基地局（図示せず）との間で電波を送受信する。
【００１４】
第一の筐体１２には、その表面に操作キー１４が設けられる。操作キー１４は、特に、「０」から「９」の数字や「あ」行から「わ」行のかな文字、「Ａ」から「Ｚ」のアルファベットの入力が可能な数字キー１５や、上下左右方向キーを備えた十字キー１６、確定キー１７、メールキー１８、電源キー１９、左ソフトキー２０、右ソフトキー２１などで構成される。
【００１５】
十字キー１６は、上下左右方向に操作されることによりメインディスプレイ２３に表示されたカーソルなどを上下左右方向に移動させることができる。また、確定キー１７が押下されることにより、種々の処理の確定処理が実行される。確定キー１７には、メインディスプレイ２３の下部に設けられた確定キー機能表示部２３ａに表示される処理も割り当てられる。
【００１６】
さらに、第一の筐体１２の十字キー１６および確定キー１７の上部には、左ソフトキー２０および右ソフトキー２１が設けられる。第一の筐体１２の側面には、携帯電話機１の操作を行うサイドキー２２が設けられる。左ソフトキー２０、右ソフトキー２１およびサイドキー２２は、第一の筐体１２の内部方向に押下されることによって、それぞれ所定の処理が割り当てられている。特に左ソフトキー２０および右ソフトキー２１は、メインディスプレイ２３の下部に設けられた左ソフトキー機能表示部２３ｂおよび右ソフトキー機能表示部２３ｃに表示される処理が割り当てられる。メールキー１８は、電子メール機能を利用する際のメニュー画面を表示する処理が割り当てられたキーである。ユーザは、電子メール機能を利用する際、まずこのメールキー１８を押下し、メニュー画面を開く操作を行う。
【００１７】
第一の筐体１２には、操作キー１４の下部にマイクロフォン２４が設けられており、マイクロフォン２４によって通話時のユーザの音声を集音する。
【００１８】
なお、第一の筐体１２は、背面側に図示しないバッテリが挿着されており、電源キー１９が押下されてオン状態になると、バッテリから各回路部に対して電力が供給されて動作可能な状態に起動する。
【００１９】
一方、第二の筐体１３には、その大部分の面積を占めるメインディスプレイ２３が設けられる。メインディスプレイ２３には、電波の受信状態、電池残量の他、電子メールの内容、ホームページの内容などが表示される。なお、メインディスプレイ２３は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイにより構成されるディスプレイである。
【００２０】
第二の筐体１３のメインディスプレイ２３の上部の所定の位置にはレシーバ（受話器）２５が設けられており、これにより、ユーザは音声通話することが可能である。なお、携帯電話機１の所定の位置には、レシーバ２５以外の音声出力部としてのスピーカ（図３のスピーカ３９）も設けられている。
【００２１】
図２は、本発明に係る携帯端末の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２２】
第二の筐体１３には、例えばＬＣＤで構成されるサブディスプレイ２８が設けられており、現在のアンテナの感度のレベルを示すアンテナピクト、携帯電話機１の現在の電池残量を示す電池ピクト、現在の時刻などが表示される。
【００２３】
図３は、本実施形態における携帯電話機１の機能構成を示す概略的な機能ブロック図である。携帯電話機１は、主制御部３０、電源回路部３１、入力制御部３２、表示制御部３３、音声制御部３４、通信制御部３５、外部出力制御部３６、記憶部３７およびマニュアル機能実行部４０がバスによって相互に通信可能に接続されて構成されている。
【００２４】
主制御部３０は、ＣＰＵ（Ｃｅｎｔｒａｌ  Ｐｒｏｃｅｓｓｉｎｇ  Ｕｎｉｔ）を具備し、記憶部３７に記憶された各種プログラムに基づき動作して、携帯電話機１の総括的な制御を行う。電源回路部３１は、操作キー１４の電源キー１９に対する入力インタフェースを備え、ユーザにより電源キー１９が押されたことを検知すると、その旨を示す信号を生成して主制御部３０に伝送する。また、電源回路部３１は、電力供給源（バッテリ）を備え、電源キー１９を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００２５】
入力制御部３２は操作キー１４、サイドキー２２に対する入力インタフェースを備え、操作キー１４、サイドキー２２のいずれかが押されたことを検知すると、押されたキーを示す信号を生成して主制御部３０に伝送する。
【００２６】
また、操作キー１４およびサイドキー２２は、マニュアル表示機能およびナビゲーション機能実行時においては、操作切替指示入力部５１、マニュアル表示指示入力部５２、検索指示入力部５３、ナビゲーション指示入力部５４として機能する。特に、操作切替指示入力部５１は、操作キー１４などによる操作対象を携帯電話機１のメインディスプレイ２３と外部出力装置６０の外部ディスプレイ６１とで切り替える指示の入力を受け付ける。
【００２７】
表示制御部３３はメインディスプレイ２３およびサブディスプレイ２８に対する表示インタフェースを備える。表示制御部３３は、主制御部３０の制御に基づいて、文書データや画像データなどをメインディスプレイ２３およびサブディスプレイ２８に表示する。また表示制御部３３は、主制御部３０の制御に基づいて、メインディスプレイ２３およびサブディスプレイ２８への表示を無効にしたり有効にしたりする。
【００２８】
音声制御部３４は、主制御部３０の制御に基づいて、マイクロフォン２４で集音された音声からアナログ音声信号を生成し、このアナログ音声信号をデジタル音声信号に変換する。また音声制御部３４は、デジタル音声信号を取得すると、主制御部３０の制御に基づいて、このデジタル音声信号をアナログ音声信号に変換し、レシーバ２５から音声として出力する。
【００２９】
通信制御部３５は、主制御部３０の制御に基づいて、基地局からアンテナ３８を介して受信した受信信号をスペクトラム逆拡散処理してデータを復元する。このデータは、主制御部３０の指示により、音声制御部３４に伝送されてレシーバ２５から出力されたり、表示制御部３３に伝送されてメインディスプレイ２３に表示されたり、または記憶部３７に記録されたりする。また通信制御部３５は、主制御部３０の制御に基づいて、マイクロフォン２４で集音された音声データや操作キー１４などを介して入力されたデータや記憶部３７に記憶されたデータを取得すると、これらのデータに対してスペクトラム拡散処理を行い、基地局に対してアンテナ３８を介して送信する。
【００３０】
外部出力制御部３６は、携帯電話機１に記憶されたユーザマニュアルを出力して、有線または無線で接続された外部出力装置６０が備えた外部ディスプレイ６１に表示させる外部出力制御手段として機能する。外部出力制御部３６は、例えば外部出力装置６０と接続が行われ、マニュアル表示指示入力部５２がマニュアルを表示する指示を受け付けた際に、外部ディスプレイ６１にユーザマニュアルを出力する。
【００３１】
外部出力装置６０は、携帯電話機１に設けられたメインディスプレイ２３よりも大型であって、より多くの画面情報が出力可能なディスプレイ６１（外部ディスプレイ６１）を備えた装置であって、例えばテレビやパーソナルコンピュータが適用可能である。
【００３２】
記憶部３７は、主制御部３０が行う処理について、処理プログラムや処理に必要なデータなどを格納するＲＯＭ（Ｒｅａｄ  Ｏｎｌｙ  Ｍｅｍｏｒｙ）やハードディスク、不揮発性メモリ、データベース、主制御部３０が処理を行う際に使用されるデータを一時的に記憶するＲＡＭ（Ｒａｎｄｏｍ  Ａｃｃｅｓｓ  Ｍｅｍｏｒｙ）などから構成される。特に、本実施形態における携帯電話機１は、マニュアル表示機能を実行するために機能するメモリ部４１およびマニュアル記憶部４２を備える。
【００３３】
メモリ部４１は、携帯電話機１においてマニュアル表示機能が実行される際に、必要な情報を一時的に記憶する。具体的には、メモリ部４１は、操作キー１４などの操作対象が携帯電話機１のメインディスプレイ２３に表示された画面情報と、外部ディスプレイ６１に表示されたユーザマニュアルとの間で切り替わったときに、切替前に操作されていた各ディスプレイ上２３、６１での操作情報を一時的に記憶する。マニュアル記憶部４２は、携帯電話機１の操作キー１４などによる操作を行うための手順を示すユーザマニュアルを記憶する記憶手段として機能する。
【００３４】
マニュアル機能実行部４０は、主制御部３０の処理に基づき後述するマニュアル表示機能およびナビゲーション機能を実現する。このマニュアル機能実行部４０は、検索実行部４４、およびナビゲーション実行部４５を備える。
【００３５】
検索実行部４４は、ユーザにより操作キー１４などの検索指示入力部５３で指定された検索事項を、ユーザマニュアル内で検索を行う検索機能を実現する。ナビゲーション実行部４５は、ナビゲーション機能を実行する指示をナビゲーション指示入力部５４で受け付けた場合にナビゲーション機能を実現する。具体的には、ナビゲーション実行部４５は、携帯電話機１に備えられた所定の機能をユーザが実行するために必要な操作を誘導すべく、所定の処理を実行する。
【００３６】
上述したように、携帯電話機１の記憶領域である記憶部３７のマニュアル記憶部４２には、携帯電話機１の操作を行うための手順を示すユーザマニュアルが記憶されている。携帯電話機１は、外部出力制御部３６を備えたことにより、このユーザマニュアルを外部出力装置６０の外部ディスプレイ６１に表示させるマニュアル表示機能を実現することができる。
【００３７】
本実施形態における携帯電話機１は、さらに、外部ディスプレイ６１に表示されたユーザマニュアルに示された手順に従い、操作キー１４やサイドキー２２（操作キー１４など）からなる入力手段を用いて所定の機能を実行するためのユーザ操作を誘導するナビゲーション機能を備えたという点で特徴を有する。以下、携帯電話機１で実現されるマニュアル表示機能およびナビゲーション機能を具体的に説明する。
【００３８】
図４は、本実施形態における携帯電話機１により実行されるマニュアル表示処理を説明するフローチャートである。
【００３９】
ステップＳ１において、主制御部３０は、外部出力制御部３６により外部出力装置６０との接続が開始されたか否かの判定を行う。外部出力装置６０との接続が行われていないと判定された場合（ステップＳ１のＮＯ）、主制御部３０は、接続が行われるまで処理を待機する。
【００４０】
一方、外部出力装置６０との接続が開始されたと判定された場合（ステップＳ１のＹＥＳ）、ステップＳ２において、主制御部３０は、マニュアル記憶部４２に記憶されたユーザマニュアルを、外部出力制御部３６を介して外部出力装置６０の外部ディスプレイ６１に出力する。なお、主制御部３０は、外部出力装置６０との接続が開始されたと同時にユーザマニュアルを出力してもよいし、マニュアル表示指示入力部５２よりユーザマニュアルを表示する指示の入力を受け付けた場合にユーザマニュアルの出力を行うようにしてもよい。
【００４１】
図５は、マニュアル表示処理におけるマニュアル出力ステップＳ２が実行された場合における、各ディスプレイの表示例を示す図である。
【００４２】
携帯電話機１のメインディスプレイ２３には、外部出力装置６０との接続が開始される前の表示画面が引き続き表示される。待受け画面が表示されているときに外部出力装置６０との接続が開始されると、メインディスプレイ２３には、例えば図５（Ａ）に示すように、待受け画面が引き続き表示される。そして、図５（Ｂ）に示すように、外部ディスプレイ６１には、ユーザマニュアルの所定の項目が表示される。なお、図５（Ｂ）では、電子メールを新規作成する際の手順を示す項目が一例として示されている。
【００４３】
ステップＳ３において、主制御部３０は、操作切替指示入力部５１より、操作キー１４などによる操作の対象を外部ディスプレイ６１側に切り替える指示を受け付けた否かの判定を行う。操作の対象が外部ディスプレイ６１側に切替えられた状態とは、携帯電話機１の操作キー１４などが外部ディスプレイ６１に表示されている機能を操作する状態である。主制御部３０は、操作の対象を外部ディスプレイ６１側に切り替える指示を受け付けておらず、依然として操作対象が携帯電話機１のメインディスプレイ２３となっていると判定した場合（ステップＳ３のＮＯ）にはステップＳ１１に進む。この場合には、携帯電話機１は、操作キー１４などから受け付けた入力に基づき、携帯電話機１のメインディスプレイ２３側の従来どおりの通常の処理が行われるようになっている。
【００４４】
一方、操作の対象を外部ディスプレイ６１側に切り替える指示を受け付けたと判定した場合（ステップＳ３のＹＥＳ）、ステップＳ４において、主制御部３０は、携帯電話機１のメインディスプレイ２３上の現在の操作情報をメモリ部４１に記憶する。このとき記憶される操作情報は、携帯電話機１で実行されている操作の状態に関する情報であり、何らかの処理（例えば電子メールの新規作成処理）が実行されており、その処理の過程で既に行われた操作の情報を記憶しておく。再び操作対象が携帯電話機１のメインディスプレイ２３に切り替えられた際に、中断した処理を再開させるためである。
【００４５】
ステップＳ５において、主制御部３０は、操作キー１４などで入力された操作を、ユーザマニュアルが表示された外部ディスプレイ６１側の操作として受け付けるように操作対象を切り替える。主制御部３０は、操作キー１４などで受け付けた入力を、例えば、ユーザマニュアルのスクロールを行う操作や、ページをジャンプする操作など、ユーザマニュアルに対して実行可能な所定の操作として受け付ける。なお、外部ディスプレイ６１が操作対象となっている場合には、携帯電話機１のメインディスプレイ２３の表示は特に遷移せず、操作の対象がユーザマニュアル側に切り替えられる直前の表示が維持されている。
【００４６】
ステップＳ６において、主制御部３０は、ユーザマニュアル内で検索を行う検索機能を実行する指示の入力を、検索指示入力部５３を介して受け付けたか否かの判定を行う。検索機能を実行する指示を受け付けたと判定された場合（ステップＳ６のＹＥＳ）、処理は検索実行部４３によるユーザマニュアル検索処理に進む。このユーザマニュアル検索処理は、図６を用いて後述する。
【００４７】
一方、主制御部３０は、検索機能を実行する指示を受け付けていないと判定した場合（ステップＳ６のＮＯ）、ステップＳ７において、ユーザマニュアルに示された手順に従い操作を誘導するナビゲーション機能の実行指示を、ナビゲーション指示入力部５４を介して受け付けたか否かの判定を行う。ナビゲーション機能を実行する指示を受け付けたと判定された場合（ステップＳ７のＹＥＳ）、処理はナビゲーション実行部４５によるナビゲーション処理に進む。このナビゲーション処理は、図７を用いて後述する。
【００４８】
ステップＳ８において、主制御部３０は、操作切替指示入力部５１より、操作キー１４などによる操作の対象を携帯電話機１のメインディスプレイ２３に切り替える指示を受け付けた否かの判定を行う。主制御部３０は、操作の対象をメインディスプレイ２３側に切り替える指示を受け付けておらず、操作対象が外部ディスプレイ６１となっていると判定した場合（ステップＳ８のＮＯ）には、処理は検索実行指示判定ステップＳ６に戻り、以降の処理が繰り返される。なお、外部ディスプレイ６１にユーザマニュアルが表示されており、かつ検索機能およびナビゲーション機能が実行されていない場合には、操作キー１４で受け付けた入力の操作対象は、外部ディスプレイ６１となっており、上述したユーザマニュアルのスクロール操作などが行われる。
【００４９】
一方、主制御部３０は、操作の対象を携帯電話機１のメインディスプレイ２３に切り替える指示を受け付けたと判定した場合（ステップＳ８のＹＥＳ）、ステップＳ９において、外部ディスプレイ６１上のユーザマニュアルの現在の操作情報をメモリ部４１に記憶する。このとき記憶される操作情報は、外部ディスプレイ６１上のユーザマニュアルで実行されている操作の状態に関する情報であり、何らかの処理（例えばユーザマニュアルのスクロール操作）が実行されており、その処理の過程で既に行われた操作の情報を記憶しておく。再び操作対象が外部出力装置６０の外部ディスプレイ６１に切り替えられた際に、中断した処理を再開させるためである。
【００５０】
ステップＳ１０において、主制御部３０は、操作情報記憶ステップＳ４において記憶された携帯電話機１のメインディスプレイ２３上の操作情報をメモリ部４１より読み込む。ステップＳ１１において、主制御部３０は、操作キー１４などで入力された操作を、メインディスプレイ２３上の操作として受け付けるように操作対象を切り替える。メインディスプレイ２３上では、操作切替判定ステップＳ３で操作対象が切り替えられたため中断された処理が再開される。
【００５１】
ステップＳ１２において、主制御部３０は、外部ディスプレイ６１に対するユーザマニュアルの表示を終了させる指示を、マニュアル表示指示入力部５２を介して受け付けたか否かの判定を行う。主制御部３０は、ユーザマニュアルの表示を終了する指示を受け付けていないと判定した場合（ステップＳ１２のＮＯ）、操作切替判定ステップＳ３に戻り、以降の処理が繰り返される。
【００５２】
なお、操作切替判定ステップＳ３において、操作対象が再び外部ディスプレイ６１側に切り替えられた場合、ステップＳ４においてはメインディスプレイ２３上の操作情報が記憶されると同時に、操作情報記憶ステップＳ９において記憶された外部ディスプレイ６１上の操作情報が読み込まれる。外部ディスプレイ６１では、操作切替判定ステップＳ８で操作対象が切り替えられたため中断された処理が再開される。
【００５３】
一方、ユーザマニュアルの表示を終了する指示を受け付けたと判定された場合（ステップＳ１２のＹＥＳ）、ステップＳ１３において、主制御部３０は、外部ディスプレイ６１に対するユーザマニュアルの出力を終了し、マニュアル表示処理を終了する。
【００５４】
次に、図４のマニュアル表示処理の検索実行判定ステップＳ６において、ユーザマニュアル内の検索処理の実行指示を受け付けた場合（ステップＳ６のＹＥＳ）に行われるユーザマニュアル検索処理について説明する。
【００５５】
図６は、本実施形態における携帯電話機１の検索実行部４４（主制御部３０）により実行されるユーザマニュアル検索処理を説明するフローチャートである。
【００５６】
ステップＳ２１において、検索実行部４４は、ユーザマニュアル内で検索される検索事項の入力を受け付ける。検索事項は、例えば操作キー１４の数字キー１５を介して入力される。ステップＳ２２において、検索実行部４４は、入力を受け付けた検索事項に基づき、ユーザマニュアル内の検索を行う。
【００５７】
ステップＳ２３において、検索実行部４４は、ユーザマニュアル内で検索された検索結果を外部ディスプレイ６１に出力させる。外部ディスプレイ６１には、検索結果に該当するユーザマニュアルが表示される。
【００５８】
ステップＳ２４において、検索実行部４４は、検索機能を終了させる指示を、検索指示入力部５３より受け付けたか否かの判定を行う。検索実行部４４は、検索機能を終了させる指示を受け付けていないと判定した場合（ステップＳ２４のＮＯ）、処理は検索事項受付ステップＳ２１に戻り、以降の処理を繰り返す。一方、検索実行部４４は、検索機能を終了させる指示を受け付けたと判定した場合（ステップＳ２４のＹＥＳ）、ユーザマニュアル検索処理を終了し、図４のマニュアル表示処理のナビゲーション実行判定ステップＳ７に進む。
【００５９】
次に、図４のマニュアル表示処理のナビゲーション実行判定ステップＳ７において、ナビゲーション機能の実行指示を受け付けた場合に行われるナビゲーション処理について説明する。
【００６０】
図７は、本実施形態における携帯電話機１のナビゲーション実行部４５（主制御部３０）により実行されるナビゲーション処理を説明するフローチャートである。
【００６１】
ステップＳ３１において、ナビゲーション実行部４５は、図４のマニュアル表示処理の操作情報記憶ステップＳ４において記憶された携帯電話機１のメインディスプレイ２３上の操作情報を、メモリ部４１より読み込む。
【００６２】
ステップＳ３２において、ナビゲーション実行部４５は、操作キー１４などで入力された操作を、メインディスプレイ２３上の操作として受け付けるように操作対象を切り替える。メインディスプレイ２３上では、図４のマニュアル表示処理の操作切替判定ステップＳ３で操作対象が切り替えられたため中断された処理が再開される。
【００６３】
ステップＳ３３において、ナビゲーション実行部４５は、携帯電話機１に備えられた所定の機能をユーザが実行するために必要な操作を誘導すべく、所定のナビゲーションを実行する。具体的には、ナビゲーション実行部４５は、外部ディスプレイ６１に対して、ユーザマニュアルに示された所定の機能を行うための手順に対応した動画データまたは音声データの出力を開始する。外部ディスプレイ６１においては、出力された動画データや音声データの再生が開始される。この外部ディスプレイ６１に対して出力される動画データや音声データは、例えばマニュアル記憶部４２に外部ディスプレイ６１に表示するマニュアルと関連付けて予め記憶されており、ナビゲーション実行部４５の指示で外部ディスプレイ６１に表示されているマニュアルに関連付けてマニュアル記憶部４２に記憶された動画データや音声データが出力されるようになっている。
【００６４】
また、外部ディスプレイ６１において動画データや音声データが出力される場合、ナビゲーション実行部４５は、この動画に対応した音声データを、携帯電話機１のスピーカ３９より出力するようになっている。これにより、携帯電話機１のユーザは、動画と音声を視聴することにより、機能の実行に必要な操作を誘導してもらうことができる。なお、音声データの出力は、携帯電話機１のスピーカ３９に限らず、外部出力装置６０から行うように構成してもよい。
【００６５】
さらに、ナビゲーション実行部４５は、動画・音声で誘導された操作内容の理解をより容易にするため、誘導した操作が実際に行われる携帯電話機１の操作キー１４などを発光させるようになっている。また、ナビゲーション実行部４５は、外部ディスプレイ６１に表示されたユーザマニュアルのうち、現在誘導している手順が記載された箇所を点滅表示や強調表示を行う画像を外部出力制御部３６を介して外部出力装置６０へ出力する。
【００６６】
図８は、ナビゲーション実行部４５によりナビゲーション機能が実行されている場合の、外部ディスプレイ６１の表示例を示す図である。ナビゲーション実行部４５によってナビゲーション機能を実行するために、外部ディスプレイ６１に表示されるマニュアルの各操作手順の文章とそれらの操作手順に対応したキー操作とは対応付けてマニュアル記憶部４２に記憶されている。
【００６７】
図８に示す外部ディスプレイ６１においては、電子メールを新規作成する際の手順を誘導するためのユーザマニュアル（動画）が表示されている。そして、ナビゲーション実行部４５は、誘導している手順である、「１．メールキーを押す」という項目（図８において枠６２で囲まれた項目）を点滅表示や反転表示させる。また、ナビゲーション実行部４５は、操作キー１４のうち、「１．メールキーを押す」という項目で押下操作を促しているメールキー１８を他のキーと区別させるために発光させる（図示せず）。
【００６８】
ステップＳ３４において、ナビゲーション実行部４５は、ユーザを誘導した操作が実行されたことを検出したか否かの判定を行う。例えば、ナビゲーション実行部４５は、ステップＳ３３においてメールキー１８の押下操作を誘導した場合には、実際にメールキー１８の押下が検出されたか否かの判定を行う。ナビゲーション実行部４５は、誘導した操作の実行を検出していないと判定した場合（ステップＳ３４のＮＯ）、その操作が検出されるまで待機する。
【００６９】
一方、ナビゲーション実行部４５は、誘導した操作を検出したと判定した場合（ステップＳ３４のＹＥＳ）、ステップＳ３５において、ユーザに対して誘導した操作が完了した旨の通知を行う。具体的には、ナビゲーション実行部４５は、携帯電話機１に備えられたバイブレータの振動や、ＬＥＤの発光、アラーム音の出力などの通知手段により操作の完了を通知する。
【００７０】
ステップＳ３６において、ナビゲーション実行部４５は、ユーザマニュアルに示された手順に従い、所定の機能を実行するために必要な全ての操作が終了したか否かの判定を行う。ナビゲーション実行部４５は、未だ全ての手順が終了していないと判定した場合（ステップＳ３６のＮＯ）、ナビゲーション実行ステップＳ３３に戻り、全ての手順が終了するまでナビゲーション実行ステップＳ３３〜終了判定ステップＳ３６の処理を繰り返す。
【００７１】
一方、ナビゲーション実行部４５は、全ての手順が終了したと判定した場合（ステップＳ３６のＹＥＳ）、ステップＳ３７において、メインディスプレイ２３上の現在の操作情報をメモリ部４１に記憶する。
【００７２】
なお、終了判定ステップＳ３６において、全ての手順が終了したと判定された場合以外にも、ナビゲーション指示入力部５４を介してナビゲーション機能の終了指示の入力を受け付けた場合においても、操作情報記憶ステップＳ３７に進むようにしてもよい。
【００７３】
ステップＳ３８において、ナビゲーション実行部４５は、操作キー１４などで入力された操作を、ユーザマニュアルが表示された外部ディスプレイ６１側の操作として受け付けるように操作対象を切り替える。その後、処理は再び図４のマニュアル表示処理の操作切替判定ステップＳ８へ進み、以降の処理が実行される。
【００７４】
この携帯電話機１によれば、ユーザの所望する所定の機能を実行するために必要な操作を、外部ディスプレイ６１にユーザマニュアルを表示することにより、視認性よく提示することができる。
【００７５】
また、携帯電話機１は、外部ディスプレイ６１に表示されたユーザマニュアルを表示するのみならず、このユーザマニュアルに基づき、ユーザにとって必要な手順を動画、音声などを用いて誘導するナビゲーション機能を備えたため、より操作手順の理解を容易にさせることができる。さらに、携帯電話機１は、ユーザマニュアルを用いて操作を誘導すると同時に、携帯電話機１でユーザにより入力された操作と連動して操作を誘導することにより、ユーザに対しては直感的に操作を行わせることができるようになっている。
【００７６】
なお、ナビゲーション機能を実行する際に、動画、音声、操作キー１４などの個別発光、外部ディスプレイ６１に表示されたユーザマニュアルの誘導該当箇所の通知などの処理を行うことにより、ユーザ操作を誘導する例を示したが、これらの処理を全て行う必要はなく、少なくとも一の処理を実行することでナビゲーション機能を実現することができる。
【００７７】
なお、本発明は、携帯電話機１以外にも、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末にも適用することができる。
【００７８】
また、本発明の実施形態において説明した一連の処理は、ソフトウェアにより実行させることもできるが、ハードウェアにより実行させることもできる。
【００７９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００８０】
１  携帯電話機
１１  ヒンジ部
１２  第一の筐体
１３  第二の筐体
１４  操作キー
１５  数字キー
１８  メールキー
２２  サイドキー
２３  メインディスプレイ
３０  主制御部
３６  外部出力制御部
３７  記憶部
３９  スピーカ
４０  マニュアル機能実行部
４１  メモリ部
４２  マニュアル記憶部
４４  検索実行部
４５  ナビゲーション実行部
５１  操作切替指示入力部
５２  マニュアル表示指示入力部
５３  検索指示入力部
５４  ナビゲーション指示入力部
６１  外部ディスプレイ
６０  外部出力装置
【図１】
2010268207.tif 000003
【図２】
2010268207.tif 000004
【図３】
2010268207.tif 000005
【図４】
2010268207.tif 000006
【図５】
2010268207.tif 000007
【図６】
2010268207.tif 000008
【図７】
2010268207.tif 000009
【図８】
2010268207.tif 000010